(57)【要約】      （修正有）【課題】ワイヤハーネスに巻き付けて保護するための外装シートは、伸縮性が低いため、ワイヤハーネスが折れ曲がった場合、シワができて、保護特性も低下する問題があった。保護特性を維持しながら柔軟に曲げることが可能で装着性に優れたシートを提供する。【解決手段】シート面に無数の微小凹凸を成形され、無数の微小凹凸は、同形の４枚の菱形斜面を持つ四角錐状の凹部１２と凸部１１を隙間なく格子状に配列したエンボス模様として形成されている。【選択図】      図１
2006331935.tif 000002
【特許請求の範囲】
【請求項１】
シート面に無数の微小凹凸を成形したことを特徴とするシート。
【請求項２】
請求項１に記載のシートであって、
前記無数の微小凹凸は、同形の４枚の菱形斜面を持つ四角錐状の凹部と凸部を隙間なく格子状に配列したエンボス模様として形成されていることを特徴とするシート。
【請求項３】
請求項１または２に記載のシートであって、
ワイヤーハーネスの外周に装着することでワイヤーハーネスを保護するワイヤーハーネス保護用の外装シートであることを特徴とするシート。
【発明の詳細な説明】
【技術分野】
【０００１】
本発明は、主に外装用として利用されるシートに係り、例えば、ワイヤーハーネスの外周に装着することでワイヤーハーネスを保護するワイヤーハーネス保護用のシートに関するものである。
【背景技術】
【０００２】
図６は従来のワイヤーハーネス保護用の外装シートを示す（例えば、特許文献１参照）。この外装シートは、矩形の平坦なシート材１の一方の側縁部に接着部２を設け、ワイヤーハーネスの外周に巻き付けながら、接着部２に他端縁を被せることで、図７に示すようにワイヤーハーネスを保護するものである。
【特許文献１】実開昭５８−８１９９０号公報
【発明の開示】
【発明が解決しようとする課題】
【０００３】
ところで、前記従来の外装シートは、単なる平坦なシート材１よりなるので、図８に示すように、ワイヤーハーネスＷの外周に装着して曲げると、ワイヤーハーネスＷの軸方向におけるシート材１の伸縮性が低いために、折れ曲がってシワができてしまい、きれいに曲がらない。
【０００４】
これを改善するには、シート材１を軟質化、弾性化、あるいは薄肉化することが有効であるが、そうすると、外装材としての保護特性が低下してしまうという相反する問題があった。
【０００５】
本発明は、上記事情を考慮し、保護特性を維持しながら柔軟に曲げることが可能で装着性に優れたシートを提供することを目的とする。
【課題を解決するための手段】
【０００６】
請求項１の発明のシートは、シート面に無数の微小凹凸を成形したことを特徴とする。
【０００７】
請求項２の発明は、請求項１に記載のシートであって、無数の微小凹凸は、同形の４枚の菱形斜面を持つ四角錐状の凹部と凸部を隙間なく格子状に配列したエンボス模様として形成されていることを特徴とする。
【０００８】
請求項３の発明は、請求項１または２に記載のシートであって、ワイヤーハーネスの外周に装着することでワイヤーハーネスを保護するワイヤーハーネス保護用の外装シートであることを特徴とする。
【発明の効果】
【０００９】
請求項１の発明によれば、シート面に無数の微小凸凹を成形したので、シートに伸縮性を持たせることができる。従って、例えばワイヤーハーネスに装着する際、シワを生じずにきれいに柔軟に曲げることができ、装着性が良好である。また、柔軟性を発揮できるものの、シートの素材として硬質材を使用できるので、ワイヤーハーネスの保護性能を落とすこともない。
【００１０】
請求項２の発明によれば、特定の方向の直線で切った場合に、断面上に山と谷が交互に並ぶようにすることができる。従って、山と谷が並ぶ方向に伸縮性を発揮することができ、その特性を考慮しながら、例えばワイヤーハーネスに外装材として巻き付けることにより、シワを生じずに、きれいに柔軟に巻き付けることができ、優れた装着性を発揮できる。
【００１１】
請求項３の発明によれば、ワイヤーハーネスの外装材として使用することにより、その伸縮性を有効に発揮することができ、シワができずに、きれいな外装体を形成することができる。
【発明を実施するための最良の形態】
【００１２】
以下、本発明をワイヤーハーネス保護用の外装シートに適用した場合の実施形態を図面を参照して説明する。
【００１３】
図１（ａ）はワイヤーハーネスの外周に、実施形態のワイヤーハーネス保護用の外装シートを装着した状態を示す斜視図、図１（ｂ）はその外装シートのシート面に形成したエンボス模様の拡大斜視図、図２はそのエンボス模様を更に大きく拡大して示す斜視図、図３は同エンボス模様の平面図、図４は図３のＡ、Ｂ、Ｃ、Ｄ矢視断面図、図５は実施形態の外装シートを装着したワイヤーハーネスを曲げた状態を示す斜視図である。
【００１４】
この外装シート１０は、図１（ａ）に示すように、ワイヤーハーネスＷの外周に装着することでワイヤーハーネスＷを保護するものであり、図１（ｂ）に示すように、可撓性を有する樹脂製の硬質シート材のシート面に無数の微小凹凸１２，１１を成形し、シート面上の互いに直交する特定の方向であるＸ方向とＹ方向に平行な任意の直線で切った断面上に山２１と谷２２（図４参照）が並ぶように構成したものである。
【００１５】
ここで、無数の微小凹凸の微小凸部１１と微小凹部１２は、図２にも示すように、同形の４枚の菱形斜面２０を持つ四角錐状の凸部１１と凹部１２を隙間なく格子状に配列したエンボス模様として形成されている。
【００１６】
このエンボス模様は、具体的には、４つの菱形斜面２０の鋭角αの頂点同士、または、鈍角βの頂点同士をそれぞれ１点に集め、隣り合う菱形斜面２０の対応する辺同士をつなぎ合わせた形状を無数に連鎖させた模様である。鋭角αの頂点を集めた点は、凸部１１、凹部１２の頂点となり、鈍角βの頂点を集めた点は、稜線と谷線が交わった点１３となる。
【００１７】
このような形状の微小凹凸１２，１１を無数に配列したことにより、Ｘ方向、Ｙ方向に平行な直線で切った断面上に山と谷が並ぶようになる。例えば、図３のＡ、Ｂ、Ｃ、Ｄの直線で切った断面を概略的に図４に示すが、Ａ、Ｂの直線で切った場合に、山２１と谷２２が交互に並ぶ。一方、Ｘ方向Ｙ方向に角度をもつ直線で切った場合には、Ｃの直線で切った場合には断面上にも山２１と谷２２が交互に並ぶが、Ｄの直線で切った場合は山と谷が表れない。
【００１８】
従って、Ｘ方向とＹ方向に伸縮性を持たせることができ、その特性を考慮しながらワイヤーハーネスＷに装着することにより、シワを生じずに、きれいに、柔軟に曲げることができ、良好な装着性を発揮できる。また、柔軟性を発揮できるものの、硬質シート材を使用していることから、ワイヤーハーネスＷの保護性能を落とすこともない。本実施形態の場合、外装シート１０のワイヤーハーネスＷへの装着性、装着後のワイヤーハーネスＷの屈曲性を考慮し、外装シート１０のＸ方向またはＹ方向をワイヤーハーネスＷの長さ方向に沿って装着する。
【００１９】
なお、シートの素材として、半硬質あるいは軟質材を使用すれば、ワイヤーハーネスに対する保護性能は多少犠牲になるが、柔軟性をアップさせることができる。
【００２０】
また、上記実施形態では、本発明をワイヤーハーネス保護用の外装シートとして適用した場合を説明したが、本発明の使用対象はそれに限定されるものではない。
【図面の簡単な説明】
【００２１】
【図１】本発明の実施形態の説明図で、（ａ）はワイヤーハーネスの外周に実施形態のワイヤーハーネス保護用の外装シートを装着した状態を示す斜視図、（ｂ）はその外装シートのシート面に形成したエンボス模様の拡大斜視図である。
【図２】本発明の実施形態の外装シート上のエンボス模様を更に大きく拡大して示す斜視図である。
【図３】前記エンボス模様の平面図である。
【図４】図３のＡ、Ｂ、Ｃ、Ｄ矢視断面図である。
【図５】本発明の実施形態の外装シートを装着したワイヤーハーネスを曲げた状態を示す斜視図である。
【図６】従来の外装シートの平面図である。
【図７】従来の外装シートのワイヤーハーネスに対する装着状態を示す図である。
【図８】従来の外装シートを曲げた場合の問題点の説明図である。
【符号の説明】
【００２２】
Ｗ  ワイヤーハーネス
１０  外装シート
１１  微小凸部
１２  微小凹部
２０  菱形斜面
２１  山
２２  谷
【図１】
2006331935.tif 000003
【図２】
2006331935.tif 000004
【図３】
2006331935.tif 000005
【図４】
2006331935.tif 000006
【図５】
2006331935.tif 000007
【図６】
2006331935.tif 000008
【図７】
2006331935.tif 000009
【図８】
2006331935.tif 000010